(57)【要約】【課題】  防風、防水効果を具え、分解及び盗難を防止するパティオドアを提供する。【解決手段】  主に上フレーム、可動辺フレーム、固定辺フレーム、下フレームにより構成するフレームを含む。該下フレーム上面に嵌設し、かつ固定ドア本体底部の固定浅板を支え、該フレーム上の可動ドア本体及び該固定ドア本体において設置する。該固定浅板はアルミプレスにより製造し、本体と該本体上面に成型する定位突起棒を具え、かつ該本体の底面は傾斜面を呈しほぞを設置し、該下フレームの前側部の槽内部にほぞ接続し、該固定浅板は該下フレームの前側部上面に嵌設され、該固定浅板の定位突起棒は該固定ドア本体の下封辺材の槽内に嵌設する。こうして該固定ドア本体の底部は該固定浅板に支えられ固定される。【選択図】  図１６
0003110616.tif 000002
【実用新案登録請求の範囲】
【請求項１】
主に上フレーム、可動辺フレーム、固定辺フレーム、下フレームにより構成するフレームを含み、該下フレーム上面に嵌設し、かつ固定ドア本体底部の固定浅板を支え、該フレーム上の可動ドア本体及び該固定ドア本体において設置し、
該上フレームはスライド槽、固定槽を具え、該可動ドア本体の上端は該上フレームのスライド槽内に設置し、かつ該スライド槽内において自由にスライド移動が可能で、該固定ドア本体の上端は該上フレームの固定槽内に設置し、
該可動辺フレームは側槽、突起部を具え、該可動ドア本体の側端面は該可動辺フレームの側槽内に挿入され、該可動ドア本体は横方向に引かれた閉門状態を呈し、該可動辺フレームの突起部と該固定ドア本体は相互に距離を隔て、該可動ドア本体前面の通路を共同で形成し、
該固定辺フレームは突起部と側槽を具え、該固定ドア本体の側端面は該固定辺フレームの側槽内に固定され、該固定辺フレームの突起部は該可動ドア本体と相互に距離を隔て、該可動ドア本体は横方向に引かれた開門状態を呈し、
該下フレームはスカーティング部、スライドレール部、前側部を具え、該可動ドア本体下端の滑車組は該下フレームのスライドレール部上面に設置し、該下フレームの前側部は前方へと徐々に下方に傾斜する形状を呈し、かつ傾斜する板面上において2本のほぞ機能を具えた槽を凹設し、
該固定浅板はアルミプレスにより製造し、本体と該本体上面に成型する定位突起棒を具え、かつ該本体の底面は傾斜面を呈しほぞを設置し、該下フレームの前側部の槽内部にほぞ接続し、該固定浅板は該下フレームの前側部上面に嵌設され、該固定浅板の定位突起棒は該固定ドア本体の下封辺材の槽内に嵌設することを特徴とするパティオドア。
【請求項２】
前記可動ドア本体及び固定ドア本体はガラスを嵌設するドアであることを特徴とする請求項１記載のパティオドア。
【請求項３】
前記可動辺フレーム及び前記固定辺フレームの側槽槽壁上面には軟質緊迫コードを設置することを特徴とする請求項１或いは請求項２記載のパティオドア。
【請求項４】
前記下フレームの前側部の底面及び前側端面にはほぞ機能を具えた槽を設置し、連接板を前記前側部前面に連接することを特徴とする請求項１或いは請求項２記載のパティオドア。
【請求項５】
前記下フレームの前側部の板面上には遮雨板を嵌設し、該遮雨板の板面の高い方の一端は、上方へと突出し阻水棒を形成することを特徴とする請求項１或いは請求項２記載のパティオドア。
【請求項６】
前記可動ドア本体の下封辺材の滑車槽内には滑車密封コードを設置することを特徴とする請求項１或いは請求項２記載のパティオドア。
【請求項７】
前記下フレームの前側部の板面上には排水口を設置し、前記固定浅板の本体背面上には排水道を設置し、しかも前記下フレームの排水口と前記固定浅板間と、前記固定浅板の本体背面の欠口と前記下フレーム前側部間にはそれぞれ1組の排水孔キャップを設置し、排水機能を発揮しながら、かつ強風の侵入を阻止可能であることを特徴とする請求項１或いは請求項２記載のパティオドア。
【請求項８】
前記可動ドア本体の下端と前記固定ドア本体の下端に形成する間隙は下遮風ブロックにより封鎖され、前記可動ドア本体の上端と前記固定ドア本体の上端に形成する間隙は上遮風ブロックにより封鎖されることを特徴とする請求項１或いは請求項２記載のパティオドア。
【請求項９】
前記固定ドア本体及び前記可動ドア本体の内面側端面上にはそれぞれ防雨棒を設置し、かつ該各防雨棒はL型嵌設コード及び軟質緊迫コードを設置することを特徴とする請求項１或いは請求項２記載のパティオドア。
【請求項１０】
前記上フレームのスライド槽内には分解防止機構を設置することを特徴とする請求項１或いは請求項２記載のパティオドア。
【請求項１１】
前記上フレームのスライド槽内には前記可動ドア本体の開門距離を制限するガードブロックを設置することを特徴とする請求項１或いは請求項２記載のパティオドア。
【考案の詳細な説明】
【技術分野】
【０００１】
本考案は一種のパティオドアに関する。特に一種の防風、防水効果を具え、分解及び盗難を防止するパティオドアに係る。
【背景技術】
【０００２】
公知のパティオドアの基本構造は固定ドア本体と可動ドア本体を含み、両者を該パティオドアのドアフレームにおいて一緒に組合せ、該ドアフレーム内に固定し、該可動ドア本体を利用し、横方向に引き開き、或いは開閉可能な関係とし、該パティオドアの開閉動作を構成するものである。
しかし、該パティオドアの可動ドア本体は完全に閉じる時、該固定ドア本体と該可動ドア本体間に通常は間隙が存在するため、台風が多発し降雨が増す季節には雨水が居室内に浸入し易い。
上記問題を解決するために、ドアフレーム上に防水板或いは遮水板などを設置するなど、パティオドアの構造には様々な改善が加えられて来た。しかし、該固定ドア本体と該可動ドア本体間にはやはり間隙が存在するという欠点は解消されていないため、遮風と阻水の効果は達成されていない。
さらに、公知のパティオドアの可動ドア本体は、隙間にものを差込みてこの原理を応用し開く、或いは分解し開くなどの行為を防止する機構設計を具えるが、該機構は複雑で、しかも破壊、分解が容易である。
【考案の開示】
【考案が解決しようとする課題】
【０００３】
公知構造には以下の欠点があった。
すなわち、パティオドアの可動ドア本体を閉じる時、固定ドア本体と可動ドア本体間には間隙が存在するため雨水が居室内に浸入し易いが、それを解決するために開発されたドアフレーム上に防水板或いは遮水板などを設置する構造でもやはり間隙が存在する。さらに、公知のパティオドアの可動ドア本体が具える隙間にものを差込みてこの原理を応用し開く、或いは分解し開くなどの行為を防止する機構設計は複雑で、しかも破壊、分解が容易である。
本考案は上記構造の問題点を解決したパティオドアを提供するものである。
【課題を解決するための手段】
【０００４】
上記課題を解決するため、本考案は下記のパティオドアを提供する。
それは主に上フレーム、可動辺フレーム、固定辺フレーム、下フレームにより構成するフレームを含み、該下フレーム上面に嵌設し、かつ固定ドア本体底部の固定浅板を支え、該フレーム上の可動ドア本体及び該固定ドア本体において設置し、該固定浅板はアルミプレスにより製造し、本体と該本体上面に成型する定位突起棒を具え、かつ該本体の底面は傾斜面を呈しほぞを設置し、該下フレームの前側部の槽内部にほぞ接続し、該固定浅板は該下フレームの前側部上面に嵌設され、該固定浅板の定位突起棒は該固定ドア本体の下封辺材の槽内に嵌設しこうして該固定ドア本体の底部は該固定浅板に支えられ固定され、
さらにそれは、該可動ドア本体と該固定ドア本体間には防雨棒或いは軟質緊迫コードを設置し、遮風と防水効果を具えることを特徴とするパティオドアである。
【考案の効果】
【０００５】
上記のように、本考案は防風、防水効果を具え、分解及び盗難を防止することができる。
【考案を実施するための最良の形態】
【０００６】
図１、２、３に示すように、本考案のパティオドア１０はガラスを嵌設するパティオドア或いはガラスを嵌設しないパティオドアを含み、上フレーム２０、可動辺フレーム３０、固定辺フレーム４０、下フレーム５０を組立てフレームを組成し、該フレーム上に設置する可動ドア本体６１及び固定ドア本体６２により組合せ構成する。
該上フレーム２０及び該下フレーム５０の具体的な形状、構造は図４に示すような断面である。
該可動辺フレーム３０及び該固定辺フレーム４０の具体的な形状、構造は図１４に示すような断面である。
【０００７】
続いて図１、３、１４に示すように、該可動辺フレーム３０は側槽３１及び側辺部３３を具え、該側槽３１と該側辺部３３間において突起部３２を形成する。該可動辺フレーム３０の側槽３１は該可動ドア本体６１側端面へ挿入する。該可動ドア本体６１を横に引き閉じる時、該可動ドア本体６１側端面は該側槽３１内部に挿入し、閉じた状態を形成する。該可動辺フレーム３０の突起部３２と移動しない該固定ドア本体６２とが相互に隔てる距離は、該可動ドア本体６１と共同で形成する通路である。
該可動辺フレーム３０の側辺部３３も槽を開設し、網戸(図示なし)を側端から挿入することができる。これにより網戸は閉じた状態を形成する。
該側槽３１の該突起部３２に近い側壁上には防水機能を具えた軟質緊迫コード３４を設置する。該軟質緊迫コード３４を該可動ドア本体６１側端面から該側槽３１に挿入した後、該側槽３１の軟質緊迫コード３４と該可動ドア本体６１表面は緊密に接触し、水流の室内への浸入を阻止することができる。
【０００８】
続いて図１、３、１４に示すように、該固定辺フレーム４０は突起部４１、側槽４２、側辺部４３を具える。該突起部４１と該側辺部４３はそれぞれ該可動ドア本体６１と網戸(図示なし)に横方向に開いた時の極限位置を提供する。しかも該固定ドア本体６２がその位置に固定された時、該固定ドア本体６２の側端面は該固定辺フレーム４０の側槽４２内に挿入される。
該側槽４２の該突起部４１に近い側壁上面には防水機能を具えた軟質緊迫コード４４を設置する。該軟質緊迫コード４４を該固定ドア本体６２の側端面から該側槽４２に挿入した後、該側槽４２の軟質緊迫コード４４と該固定ドア本体６２の表面は緊密に接触し、水流の室内への浸入を阻止することができる。
【０００９】
次に図１、３、４、５、１２に示すように、該上フレーム２０はスライド槽２１、固定槽２２、網戸スライド槽２５を具える。該上フレーム２０のスライド槽２１は該可動ドア本体６１上端に挿入され、該スライド槽２１左右両側の側壁２３を利用し、該可動ドア本体６１の上端を該スライド槽２１の内部に挿入後、該スライド槽２１内に設置され、かつ自由にスライド移動が可能となる。
該上フレーム２０の固定槽２２は該固定ドア本体６２の上端に挿入され、かつ図７に示すように、該固定ドア本体６２は局部の高さをリフト後、該固定ドア本体６２の下封辺材６５の槽６６は、固定浅板７５の定位突起棒７６上にちょうど嵌設、定位される。
網戸スライド槽２５の内部にはガイドレール２６を設置し、該網戸上端のガイド槽に対応し、該網戸を設置後は横方向の移動が可能となる。
該上フレーム２０は該固定槽２２の側壁２３内側下縁において防水機能を具えた軟質緊迫コード２４を設置し、該上フレーム２０の該固定槽２２内に突出する。このため、該固定ドア本体６２の上端が該上フレーム２０の固定槽２２に設置された後、該固定槽２２の軟質緊迫コード２４と該固定ドア本体６２の表面は緊密に接触し、水流の室内への浸入を阻止する機能を発揮する。
【００１０】
さらに図１、３、４、７、１６に示すように、該下フレーム５０はスカーティング部５１、スライドレール部５２、前側部５３を具える。該側壁１８上に設置後、該下フレーム５０のスカーティング部５１は居室内に位置し、室内のスカーティングボードを構成する。
該下フレーム５０のスライドレール部５２上には、該可動ドア本体６１の滑車組９０を設置し、該可動ドア本体６１の上端及び下端は自由に移動可能な状態となり、横方向に引き開き、また閉じることができる。
該下フレーム５０の前側部５３は前方に向かい徐々に下方へと傾斜する形状を呈し、傾斜する板面上において、図１、１６に示すように、2本のほぞ機能を具える槽５４を凹設し、遮雨板７０及び固定浅板７５は共に、該下フレーム５０と一体にほぞ接合する。しかも図２、３、１６に示すように、該下フレーム５０の板面上には排水口５６を設置し、排水作用を達成する。また、該前側部５３の底面及び前側端面にはほぞ機能を具えた槽５５を設置し、連接板５７を該前側部５３の前面に連接し、該下フレーム５０と一体にほぞ接合する。
該連接板５７はほぞ５９を具え、その形状と設置位置は該下フレーム５０の槽５５の形状と設置位置に対応し、該連接板５７は該下フレーム５０の前面にほぞ接続し、該下フレーム５０と一体を形成する。該連接板５７の板面も傾斜形状を呈し、迅速に排水する機能を具える。該板面にはスライドレール５８を具え、該上フレーム２０の網戸スライド槽２５に設置するガイドレール２６に対応し、該網戸(図示なし)を設置後は自由に横方向の移動が可能である。
【００１１】
該遮雨板７０はアルミ合金製で、その板面幅は該可動ドア本体６１のドア幅より小さいが、隣接する固定浅板７５と共に該下フレーム５０の上面を覆蓋することができる。
該遮雨板７０の板面は該下フレーム５０の前側部５３の傾斜確度に対応し、傾斜形状を呈し、その底面に成型するほぞ７２を利用し、該下フレーム５０の前側部５３の槽５４内に嵌入する。これにより、該遮雨板７０と該下フレーム５０は一体にほぞ接合し、該下フレーム５０の前側部５３上面を覆蓋し、遮雨及び迅速排水の機能を達成する。同時に、該板面の高い方の一端には上向きに突出し阻水棒７１を形成し、該可動ドア本体６１と該遮雨板７０間の間隙を補填し、保安と該可動ドア本体６１の下端から室内に浸入する可能性がある水流を阻止する機能、さらに遮風の効果をも達成する。
【００１２】
また強風、豪雨などの気象条件下で、該可動ドア本体６１滑車９０と該下フレーム５０スライドレール部５２間の空隙から、強風或いは雨水が室内に浸入しないよう、該３、４、１６に示すように、本考案の該可動ドア本体６１下封辺材６７の滑車槽内には、滑車密封コード９１を設置する。
該滑車密封コード９１は図示のように、縦長の水平板面及び該水平板面両側から下向きに延伸する側翼９３を具える。該水平板面上には2個の槽９２を開設する。これにより、該滑車密封コード９１が該可動ドア本体６１下封辺材６７の滑車槽内に嵌入後、該滑車組９０を該可動ドア本体６１下封辺材６７の滑車槽内に固定可能である。しかも該滑車組９０の設置後、該滑車密封コード９１左右両側の側翼９３は該下フレーム５０のスライドレール部５２上を遮蓋可能で、該可動ドア本体６１滑車組９０と該下フレーム５０スライドレール部５２間の空隙は完全に遮蔽される。このため、強風或いは雨水の室内への浸入を防ぐ機能を効果的に発揮することができる。
【００１３】
続いて図１、７、１６、１９に示すように、該固定浅板７５はアルミプレスにより製造し、底面は斜面を呈した楔形状本体と該本体水平表面上に形成する定位突起棒７６を具える。該固定浅板７５の本体底面は、該下フレーム５０前側部５３の傾斜角度に対応するため傾斜形状を呈し、かつ該底面に成型するほぞ７７を利用し、該下フレーム５０前側部５３の槽５４内に嵌入する。こうして、該固定浅板７５と該下フレーム５０は一体にほぞ接合され、該下フレーム５０前側部５３上面において覆蓋する。
該固定ドア本体６２の組立て完成時には、該固定浅板７５の定位突起棒７６は該固定ドア本体６２下封辺材６５の槽６６内に嵌入する。これにより、該固定ドア本体６２は非常に安定的に該固定浅板７５の本体上において設置され、全体重量は堅固に支えられる。同時に該固定浅板７５の本体の高度を利用し、該固定ドア本体６２の高度を同程度に高め、該可動ドア本体６１の高度との一致を保持する。この時さらに、L型閉合片６９を利用し、該固定ドア本体６２を固定し、該固定ドア本体６２の組立てを完成する。
【００１４】
次に図２、３、１６に示すように、該固定浅板７５の本体側面にパッキン７９を挿入し、該固定浅板７５の本体側面を封鎖し、美観を増加する。
該固定浅板７５に排水機能を持たせるため、図１６、１９に示すように該固定浅板７５の本体背面上には局部欠口を形成し、該固定浅板７５の排水道７８を構成する。該固定浅板７５が該下フレーム５０前側部５３上面にほぞ接合される時、該排水道７８は該下フレーム５０の排水口５６上方に位置するため、万一水流が浸入して来ても、該固定浅板７５の排水道７８及び該下フレーム５０の排水口５６から排出される。
しかも、台風時の強風が該固定浅板７５の排水道７８及び該下フレーム５０の排水口５６が形成するルートを吹き抜け室内に吹き込み、鋭い風音を生じるのを避けるため、図１６、１７、１８、１９に示すように、本考案は該下フレーム５０の排水口５６と該固定浅板７５間と該固定浅板７５本体背面の欠口と該下フレーム５０前側部５３間において、1組の排水孔キャップ１１０を設置する。こうして、排水可能で、かつ強風の侵入を途絶する機能を達成する。
該排水孔キャップ１１０はフレーム体１１１、可動隔絶板１１４が相互に可動接続し構成するが、一方への弁機能のみを構成する。該フレーム体１１１は開口部１１２を具え、該開口部１１２は該固定浅板７５の排水道７８の入口で、或いは該下フレーム５０排水口５６の出口である。該フレーム体１１１両側の側壁上には、それぞれ軸孔１１３を具え、該可動隔絶板１１４のピボット１１５を可動接続し、該可動隔絶板１１４は該フレーム体１１１の開口部１１２のせきを形成する。同時に、該フレーム体１１１は定位棒を設置し、該可動隔絶板１１４の可動を制限することができ、排水時には、該可動隔絶板１１４は該ピボット１１５を支点とし、該フレーム体１１１の開口部を開き、水流を排出する。但し、強風が外から吹き込んで来る時には、該可動隔絶板１１４は該フレーム体１１１の定位棒の可動制限を受け、該開口部１１２を封鎖するため、強風は隔絶され、室内に侵入することはない。
【００１５】
さらに図１、２、３、４、７、８、１６に示すように、本考案の下遮風ブロック９５は該可動ドア本体６１の下端と該固定ドア本体６２の下端が形成する間隙を封鎖するために用いる。しかも、該可動ドア本体６１の横方向への移動には影響を及ぼすことはない。
該下遮風ブロック９５は階段状の本体を具え、該本体の頂点面９７は水平表面を呈し、本体の底面は該下フレーム５０の前側部５３の傾斜角度に対応し傾斜形状を呈する。また該下遮風ブロック９５本体はL型カギ槽９６を具え、図３に示すL型閉合片６８に対応し、該固定ドア本体６２の下端、該固定浅板７５の本体背面、該下フレーム５０の前側部５３板面及びスライドレール部５２、該遮雨板７０の阻水棒７１側面上に固定及び接触する。しかも、該可動ドア本体６１を閉めた時、該可動ドア本体６１の下端は該下遮風ブロック９５の階段状欠口上方に入り、ドアを閉めた後、該可動ドア本体６１下端と該固定ドア本体６２下端間の間隙は完全に該下遮風ブロック９５により封鎖される。
図１、２、３、４、５、６に示すように、本考案の上遮風ブロック２７は楔形槽２８を具える、該上遮風ブロック２７を該可動ドア本体６１上に固定する時、該上フレーム２０の固定槽２２側壁２３前縁は該楔形槽２８内部にちょうど入る。但しやはり若干の間隙が存在するため、該可動ドア本体６１の横方向移動には影響を与えない。しかも、該可動ドア本体６１を閉めた後、該上遮風ブロック２７は該可動ドア本体６１上端と該固定ドア本体６２上端が形成する間隙を封鎖する。
【００１６】
続いて図２、３、４、５、１４、１５、１６に示すように、該固定ドア本体６２の内面側端面上には防雨棒８０を設置し、L型嵌合コード８１、軟質緊迫コード８２を具える。該防雨棒８０の下端は該下遮風ブロック９５の頂点面に接触し、該可動ドア本体６１を閉めた後、該防雨棒８０の上端は該可動ドア本体６１の上遮風ブロック２７にほぼ接触する。よって、該可動ドア本体６１を閉めた後、該可動ドア本体６１と該固定ドア本体６２間の間隙は該上遮風ブロック２７、該下遮風ブロック９５、及び該防雨棒８０により徹底的に封鎖され、特に該防雨棒８０の軟質緊迫コード８２は、該可動ドア本体６１と緊密な接触を形成し、水流の室内への浸入を阻止する作用を発揮する他、該防雨棒８０のL型嵌合コード８１は、該可動ドア本体６１防雨棒８０L型嵌合コード８６と交差嵌設状態を形成し、水流の室内への浸入を効果的に阻止する1組の機構を共同で構成する。
該可動ドア本体６１の内面側端面上にも防雨棒８５を設置し、L型嵌合コード８６及び軟質緊迫コード８７を具える。該防雨棒８５の上端は該可動ドア本体６１の上遮風ブロック２７に接触し、該可動ドア本体６１を閉めた後、該防雨棒８０の下端は該下遮風ブロック９５の頂点面９７にほぼ接触する。よって、該可動ドア本体６１を閉めた後、該可動ドア本体６１と該固定ドア本体６２間の間隙は該上遮風ブロック２７、該下遮風ブロック９５、及び該防雨棒８５により徹底的に封鎖され、しかも該防雨棒８５の軟質緊迫コード８７は、該固定ドア本体６２と緊密な接触を形成し、水流の室内への浸入を阻止する作用を発揮する。さらに、該防雨棒８０のL型嵌合コード８１上には軟質気密コード８４を設置し、該防雨棒８５のL型嵌合コード８６上には軟質気密コード８８を設置し、これらにより該防雨棒８０と該防雨棒８５は交差嵌設状態を呈し気密効果を達成する。
【００１７】
さらに図１、３、４、９、１０、１１、に示すように、本考案のパティオドア１０は該上フレーム２０のスライド槽２１内に分解防止機構１００を設置し、該可動ドア本体６１に分解防止と盗難防止機能を持たせることができる。
該分解防止機構１００は固定台１０１、回転ブロック１０４を可動接続し構成する。該固定台１０１は収納槽１０２を具え、該回転ブロック１０４を内部に設置する。該固定台１０１の左右両側の側壁上にはカギ槽１０３を設置し、該回転ブロック１０４は引き出し90度回転させた後、該カギ槽１０３内に係合、定位される。こうして図１１の使用状態を形成する。
図４に示すように、本考案の可動ドア本体６１上封辺材６３は槽６４を開設する。該分解防止機構１００の回転ブロック１０４が該固定台１０１の収納槽１０２内に収容され、該可動ドア本体６１を上方へと持ち上げる時、該可動ドア本体６１の上封辺材６３は該分解防止機構１００の干渉を受けない。よって、該可動ドア本体６１は組立て或いは分解が可能である。但し、図９に示すように、該分解防止機構１００の回転ブロック１０４が使用状態である時には、該可動ドア本体６１を上方へと持ち上げても、該可動ドア本体６１の上封辺材６３は該分解防止機構１００回転ブロック１０４の干渉を受け、持ち上げることはできない。こうして、該可動ドア本体６１は分解防止及び盗難防止機能を具える。
【００１８】
次に図１、３、５、１２、１１、１３に示すように、本考案のパティオドア１０は該上フレーム２０のスライド槽２１内の該固定辺フレーム４０に近い位置において、ガードブロック２９を設置し、該可動ドア本体６１の開く距離を制限する。同時に図３、１４に示すように、該可動ドア本体６１の側辺上において、軟質の封辺キャップ８９を嵌設し、該可動ドア本体６１を横方向に引き開き、該ガードブロック２９に接触する時、緩衝作用を具える。
【図面の簡単な説明】
【００１９】
【図１】本考案のパティオドアを壁に設置する状態の指示図である。
【図２】本考案のパティオドアの立体図である。
【図３】本考案のパティオドアの分解図である。
【図４】図１の４−４線における断面拡大図である。
【図５】図１の５−５線における断面拡大図である。
【図６】本考案の上遮風ブロックの立体拡大図である。
【図７】図１の７−７線における断面拡大図である。
【図８】本考案の下遮風ブロックの立体拡大図である。
【図９】本考案のパティオドアに分解防止機構を設置し、これにより可動ドア本体が盗難防止機能を具えた状態の指示図である。
【図１０】本考案の分解防止機構の立体拡大図である。
【図１１】本考案の分解防止機構により可動ドア本体が盗難防止機能を具えた使用状態を示す指示図である。
【図１２】図１の１２−１２線における断面拡大図である。
【図１３】本考案のガードブロックの立体拡大図である。
【図１４】図１の１４−１４線における断面拡大図である。
【図１５】図１４のB区域の局部拡大図である。
【図１６】図２のA区域の局部拡大図である。
【図１７】本考案の排水孔キャップの立体拡大図である。
【図１８】本考案の排水孔キャップの分解拡大図である。
【図１９】図１６の１９−１９線における断面拡大図である。
【符号の説明】
【００２０】
１０  パティオドア
１８  壁
２０  上フレーム
２１  スライド槽
２２  固定槽
２３  側壁
２４  軟質緊迫コード
２５  網戸スライド槽
２６  ガイドレール
２７  上遮風ブロック
２８  楔形槽
２９  ガードブロック
３０  可動辺フレーム
３１  側槽
３２  突起部
３３  側辺部
３４  軟質緊迫コード
４０  固定辺フレーム
４１  突起部
４２  側槽
４３  側辺部
４４  軟質緊迫コード
５０  下フレーム
５１  スカーティング部
５２  スライドレール部
５３  前側部
５４  槽
５５  槽
５６  排水口
５７  連接板
５８  スライドレール
５９  ほぞ
６１  可動ドア本体
６２  固定ドア本体
６３  上封辺材
６４  槽
６５  下封辺材
６６  槽
６７  下封辺材
６８  L型閉合片
６９  L型閉合片
７０  遮雨板
７１  阻水棒
７２  ほぞ
７５  固定浅板
７６  定位突起棒
７７  ほぞ
７８  排水道
７９  パッキン
８０  防雨棒
８１  L型嵌合コード
８２  軟質緊迫コード
８４  軟質気密コード
８５  防雨棒
８６  L型嵌合コード
８７  軟質緊迫コード
８８  軟質気密コード
８９  封辺キャップ
９０  滑車組
９１  滑車密封コード
９２  槽孔
９３  側翼
９５  下遮風ブロック
９６  L型カギ槽
９７  頂点面
１００  分解防止機構
１０１  固定台
１０２  収納槽
１０３  カギ槽
１０４  回転ブロック
１１０  排水孔キャップ
１１１  フレーム体
１１２  開口部
１１３  軸孔
１１４  可動隔絶板
１１５  ピボット
【図１】
0003110616.tif 000003
【図２】
0003110616.tif 000004
【図３】
0003110616.tif 000005
【図４】
0003110616.tif 000006
【図５】
0003110616.tif 000007
【図６】
0003110616.tif 000008
【図７】
0003110616.tif 000009
【図８】
0003110616.tif 000010
【図９】
0003110616.tif 000011
【図１０】
0003110616.tif 000012
【図１１】
0003110616.tif 000013
【図１２】
0003110616.tif 000014
【図１３】
0003110616.tif 000015
【図１４】
0003110616.tif 000016
【図１５】
0003110616.tif 000017
【図１６】
0003110616.tif 000018
【図１７】
0003110616.tif 000019
【図１８】
0003110616.tif 000020
【図１９】
0003110616.tif 000021